(57)【特許請求の範囲】
【請求項１】
内面に螺旋溝を設けた筒状体と、筒状体に嵌挿されると共に上方部分に軸方向に伸びるスリットを有する案内筒と、前記スリットに摺動自在に係合されると共に前記螺旋溝に嵌合する突起を側面に有し棒状物を保持するホルダと、を備え、案内筒に対して筒状体を相対回転させることによりホルダに保持された棒状物を繰り出すことができる棒状物繰り出し装置において、
前記筒状体の内面に摺接するように形成された前記案内筒の上方部分に前記スリットを形成し、該スリットの一端部に、該スリットと連通する切り込みにより形成された径方向に弾性変形可能な突出片を設け、該突出片を前記筒状体の内面に形成された段部に係止することを特徴とする棒状物繰り出し装置。
【発明の詳細な説明】
【０００１】
【発明の属する技術分野】
本発明は、棒状物消しゴム、リップスティック、修正棒、筆記芯、蛍光芯、棒状糊、パス等の棒状物を回転操作により容器の中から出し入れするための棒状物繰り出し装置に関し、特に案内筒を筒状体に嵌挿する構成に関する。
【０００２】
【従来の技術】
この種の従来技術としては、例えば、実公平６−２４２３６号公報に記載されたものがある。この公報の実施例で記載された棒状物繰り出し装置は、筒状体に螺旋溝を設け、案内筒の後方部分にスリットを設け、このスリットに棒状物受けを摺動自在に嵌め込み、棒状物受けの突起を前記螺旋溝に嵌合しており、案内筒の中間部に前方に向かって順次縮径する傾斜面を形成し、傾斜面の後方外周に溝を設け、その溝に径方向に変形可能なリングを嵌入して、案内筒の後方に規制段部を設け、この規制段部とリングによって案内筒で筒状体に挟持し、案内筒を筒状体に対して軸方向に移動不能に相対回転可能に嵌挿している。
【０００３】
【発明が解決しようとする課題】
しかしながら、上記従来の棒状物繰り出し装置では、リングの部品を必要とするため、部品点数が多くなり、製造コストが高くなるという課題がある。また、リングを案内筒の溝に嵌入する際に、リングを傾斜面に沿って外方に拡開しながら、溝にはめ入れる必要があり、筒状体と案内筒との間の狭い隙間内でリングを移動させていかなければならないため、作業が困難であるという課題がある。
本発明はかかる課題に鑑みなされたもので、請求項１記載の発明の目的は、部品点数が増加することなく、また簡単な作業で案内筒を筒状体に軸方向移動不能で且つ相対回転可能に嵌挿することができる棒状物繰り出し装置を提供することである。
【０００４】
【課題を解決するための手段】
上記目的を達成するために本発明の請求項１記載の発明は、内面に螺旋溝を設けた筒状体と、筒状体に嵌挿されると共に上方部分に軸方向に伸びるスリットを有する案内筒と、前記スリットに摺動自在に係合されると共に前記螺旋溝に嵌合する突起を側面に有し棒状物を保持するホルダと、を備え、案内筒に対して筒状体を相対回転させることによりホルダに保持された棒状物を繰り出すことができる棒状物繰り出し装置において、
前記筒状体の内面に摺接するように形成された前記案内筒の上方部分に前記スリットを形成し、該スリットの一端部に、該スリットと連通する切り込みにより形成された径方向に弾性変形可能な突出片を設け、該突出片を前記筒状体の内面に形成された段部に係止することを特徴とする。
案内筒の突出片を筒状体の内面に形成される段部に係止することで、案内筒を筒状体に対して嵌挿する。突出片は案内筒に一体に形成されるので、部品点数が増加することはない。
また、案内筒と筒状体との組立作業は、案内筒を筒状体の一方から挿入し、突出片の弾性を利用して、筒状体の段部をくぐらせることによって行う。
【０００５】
【発明の実施の形態】
以下、図１ないし図６を用いて本発明の実施の形態を説明する。
本実施の形態に係る棒状物繰り出し装置１０は、筆記具であるシャープペンシルに備えられたものであり、シャープペンシル３０の外筒３２に着脱可能に取り付けられる。
この棒状物繰り出し装置１０は、内面に螺旋溝１２ａを設けた筒状体１２と、筒状体１２に嵌挿されると共に上方部分１４Ａに軸方向に伸びる２つのスリット１４ａを有する案内筒１４と、前記スリット１４ａに摺動自在に係合されると共に前記螺旋溝１２ａに嵌合する突起１６ａを側面に有し棒状物２０を保持するホルダ１６と、を備えている。
図３及び図４に示したように、案内筒１４は、その上端部に鍔形ストッパー１４ｂが形成されると共に、前記スリット１４ａの下端部に、該スリット１４ａと連通する切り込み１４ｃにより径方向に弾性変形可能な突出片１４ｄが形成されている。そして、この鍔形ストッパー１４ｂが筒状体１２の上端部に当接すると共に突出片１４ｄが筒状体１２の内面に形成された環状の段部１２ｂに係止することによって、案内筒１４が筒状体１２に対して軸方向移動不能で相対回転自在に嵌挿される。但し、鍔形ストッパー１４ｂと筒状体１２の上端部の当接を省略して、筒状体１２に設けた２つの環状の段部の間に突出片１４ｄを嵌合することによって案合筒１４を筒状体１２に対して軸方向移動不能に構成する事も可能である。
【０００６】
突出片１４ｄは、後述の外筒３２に収容される下方部分１４Ｂに形成することも可能であるが、本実施の形態のように、スリット１４ａに連通した切り込み１４ｃによって突出片１４ｄを形成した場合、このスリット１４ａの形成された案内筒１４の上方部分１４Ａは、後述の外筒３２に収容される下方部分１４Ｂに比較して外径が大きく、筒状体１２の内面にほぼ摺接することができる程度に形成されている。従って、突出片１４ｄは、案内筒１４の上方部分１４Ａの突出片１４ｄ以外の部分の外径よりもやや大きいものであればよく、その軸方向の長さは短くできる。そのため、突出片１４ｄの弾性力は強いものにすることができる。これに対して、突出片を外径が上方部分１４Ａよりも小さい下方部分１４Ｂに形成すると、突出片自体の外径は上方部分１４Ａよりも大きくしなければならないため、必然的に軸方向のストロークを必要とし突出片の軸方向の長さが長くなり、その突出片自体の弾性力は図示の例に比べて弱くなる。
このように、本発明の突出片１４ｄは、筒状体１４と一体に形成されるため、部品点数を低減できると共に、その弾性力は強いものとすることができるので、筒状体１２と案内筒１４との嵌挿を強固のものとすることができる。
案内筒１４の下方部分１４Ｂは、外筒３２の内面にまで伸びて相対回転不能に収容される。具体的には、図３に示したように、案内筒１４の下方部分１４Ｂの外面には複数のリブ１４ｅが形成されており、一方、図６に示したように、外筒３２の内面には軸方向に伸びる複数の溝３２ａが形成されており、この溝３２ａ内にリブ１４ｅが嵌合している。外筒３２の棒状物繰り出し装置１０が備えられるのと反対側には、筆記軸体３４である芯送り出し機構が収設されており、芯送り出し機構を構成する芯タンク３６の一部が案内筒１４の下方部分１４Ｂの内面に嵌入されていて、その端部３６ａが案内筒１４の内部に形成された仕切壁１４ｆに当接している。
【０００７】
また、図５に示したように、筒状体１２の螺旋溝１２ａは、その断面形状において、筒状体１２の軸方向の一方向、本実施の形態では棒状物繰り出し方向と反対の方向に向かって漸次、溝深さが深くなるように傾斜するテーパ面１２ａ１と、溝深さが一定の平坦面１２ａ２と、テーパ面１２ａ１の最深部側に設けられ筒状体１２の軸方向に垂直な垂直面１２ａ３とを備えている。このようにテーパ面１２ａ１を備えることにより、筒状体１２を成形終了時に螺旋溝１２ａに対応した雄ネジを有するコアピンを筒状体１２から抜き出す際に、コアピンを直線的に動かして無理抜きしても抜け易く、螺旋溝１２ａを傷めることなく成形することができる。従って、コアピンを螺旋溝１２ａに沿って回転させながら抜く必要がないので効率的に製造することができる。
ホルダ１６は、棒状物２０を挟持すると共にスリット１４ａにはめ込まれる一対の挟持片１６ｂと、棒状物２０の退却を阻止する底面１６ｃと、を有しており、前記螺旋溝１２ａに嵌合する突起１６ａは、挟持片１６ｂの外面に形成されている。
【０００８】
以上の棒状物繰り出し装置１０の組み立ては次のようにして行う。まず、案内筒１４の鍔形ストッパー１４ｂ側端部から鍔形ストッパー１４ｂをくぐらせるようにしてホルダ１６を挿入して、スリット１４ａに挟持片１６ｂをはめ込む。次に、この案内筒１４を筒状体１２の上端から挿入していく。このとき、突出片１４ｄは筒状体１２の内側を通過していき、その弾性により内径方向に変形して段部１２ｂを乗り越える。同時に、鍔形ストッパー１４ｂが筒状体１２の上端部に当接することで、突出片１４ｄは鍔形ストッパー１４ｂと共に筒状体１２を挟持し、案内筒１４が筒状体１２に対して軸方向移動不能で相対回転自在に嵌挿される。その後、ホルダ１６に棒状物２０を取り付け、さらに、案内筒１４の下方部分１４Ｂのリブ１４ｅを外筒３２の溝３２ａにはめ入れて、組立が終了する。
このように組み立てられた棒状物繰り出し装置１０を使用するには、筒状体１２を外筒３２に対して、即ち、筒状体１２を案内筒１４に対して相対回転させる。これにより、案内筒１４のスリット１４ａに係合したホルダ１６が筒状体１２に対して相対回転し、筒状体１２の螺旋溝１２ａに嵌合する突起１６ａが螺旋溝１２ａに沿って移動して、ホルダ１６が自転しながら筒状体１２内をその軸方向に移動して、棒状物２０が筒状体１２の上端より繰り出される。また、筒状体１２を外筒３２、即ち案内筒１４に対して上記と反対の方向に相対回転させることにより、棒状物２０を筒状体１２内へ退却する方向へ移動させることができる。
【０００９】
【発明の効果】
以上説明したように、本発明によれば、突出片を案内筒のスリットの一端部において該スリットと連通する切り込みにより形成し、この突出片を筒状体の内面に形成した段部に係止するため、部品点数が増加することはなく低コストで、案内筒を筒状体に軸方向に移動不能に且つ相対回転可能に嵌挿する構成を実現することができる。
また、その組立作業は、案内筒を筒状体の一方から挿入し、突出片の弾性を利用して、筒状体の段部をくぐらせることによって行うだけであるので、簡単になる。
【図面の簡単な説明】
【図１】本発明の棒状物繰り出し装置の実施の形態を表す縦断面図であり、筆記具であるシャープペンシルに備えられた状態を示す。
【図２】図１の棒状物繰り出し装置を９０度回転した状態で見た縦断面図である。
【図３】（ａ）及び（ｂ）は、図１の案内筒を示す図であり、（ｂ）は（ａ）を９０度回転した状態で見た図である。
【図４】（ａ）及び（ｂ）は、図３（ａ）及び（ｂ）のそれぞれの縦断面図である。
【図５】図１の筒状体の縦断面図である。
【図６】図１の外筒の縦断面図である。
【符号の説明】
１０  棒状物繰り出し装置
１２  筒状体
１２ａ  螺旋溝
１２ｂ  段部
１４  案内筒
１４ａ  スリット
１４ｃ  切り込み
１４ｄ  突出片
１６  ホルダ
１６ａ  突起
２０  棒状物
【図１】
0003953152.tif 000002
【図２】
0003953152.tif 000003
【図３】
0003953152.tif 000004
【図４】
0003953152.tif 000005
【図５】
0003953152.tif 000006
【図６】
0003953152.tif 000007